(57)【要約】本発明は標準軌道のスマートホームシステムを公開し、ゲートウェイデバイスと標準軌道とを含み、ゲートウェイデバイスの電源端子はそれぞれＬ端子（Ｌｉｖｅ）とＮ端子（Ｎｅｕｔｒａｌ）に接続され、ゲートウェイデバイスは少なくとも１つのユーザー端末に遠隔接続され、また複数の第１の拡充装置にも接続される；標準軌道の上にゲートウェイデバイスと複数の第１の拡充装置は並列に配置され、それに複数の配線端子を介して相互に接続される；各第１の拡充装置のコンセントはそれぞれ一つか複数のスマートホームデバイスに接続される。本発明により、電力供給回路に応じて、ユーザーは自分のニーズに合わせた拡充装置を添加することができ、分散されたスマートホーム制御モジュールは標準軌道の上に系統的に統合され、ユーザーが操作や管理に便利で、インテリジェントでスマートホーム装置を制御することを実現する。【選択図】図１
2021507603.tif 000002
【特許請求の範囲】
【請求項１】
ゲートウェイデバイスと標準軌道とを含み、
上記のゲートウェイデバイスの電源端子はそれぞれＬ端子（Ｌｉｖｅ）とＮ端子（Ｎｅｕｔｒａｌ）に接続され、上記のゲートウェイデバイスは少なくとも１つのユーザー端末に遠隔接続され、また複数の第１の拡充装置にも接続され、
上記のゲートウェイデバイスと複数の第１の拡充装置は上記の標準軌道の上に並列に配置され、複数の配線端子を介して相互に接続され、
上記の各第１の拡充装置のコンセントはそれぞれ一つか複数のスマートホームデバイスに接続されることを特徴とする標準軌道のスマートホームシステム。
【請求項２】
上記の標準軌道のスマートホームシステムにおいて、さらに漏電遮断器を含み、上記の漏電遮断器は上記の標準軌道の上に配置され、上記の漏電遮断器に電源端子とコンセントとスイッチとは配置されており、
上記の電源端子はそれぞれＬ端子（Ｌｉｖｅ）とＮ端子（Ｎｅｕｔｒａｌ）に接続され、上記の電源端子に接続されている上記のＬ端子（Ｌｉｖｅ）とＮ端子（Ｎｅｕｔｒａｌ）は上記のコンセントを介してそれぞれ上記のゲートウェイデバイスの電源端子に接続され、上記のスイッチは漏電から保護するために上記のＬ端子とＮ端子のオン／オフの切り替えを同時に制御することを特徴とする請求項１の標準軌道のスマートホームシステム。
【請求項３】
上記の標準軌道のスマートホームシステムにおいて、さらに給電装置を含み、上記の給電装置は上記の標準軌道の上に配置され、上記の給電装置は複数の第２の拡充装置に接続され、全ての上記の第２の拡充装置に電力を供給するために用いられることを特徴とする請求項１の標準軌道のスマートホームシステム。
【請求項４】
上記の標準軌道のスマートホームシステムにおいて、さらに接続器を含み、上記の接続器が上記の標準軌道の上に配置され、上記の接続器は複数列の上記の第１の拡充装置を接続するために用いられることを特徴とする請求項１の標準軌道のスマートホームシステム。
【請求項５】
上記の標準軌道のスマートホームシステムにおいて、上記のゲートウェイデバイスはネットワークインターフェイスと無線通信モジュールとを含み、
上記のゲートウェイデバイスは上記のネットワークインターフェイスを介して有線ネットワーキング方式でユーザー端末に接続され、或いは、
上記のゲートウェイデバイスは上記の無線通信モジュールを通じて無線ネットワーキング方式で上記のユーザー端末に接続されることを特徴とする請求項１の標準軌道のスマートホームシステム。
【請求項６】
上記の標準軌道のスマートホームシステムにおいて、上記の第１の拡充装置は単相のスマートエアスイッチまたは三相のスマートエアスイッチであることを特徴とする請求項１の標準軌道のスマートホームシステム。
【請求項７】
上記の標準軌道のスマートホームシステムにおいて、上記の第２の拡充装置は環境センサー、クラウドコントローラ、無線受信機または遠隔制御装置であることを特徴とする請求項３の標準軌道のスマートホームシステム。
【請求項８】
上記の標準軌道のスマートホームシステムにおいて、上記のゲートウェイデバイスは第１の表示灯を含み、上記の第１の表示灯は上記のゲートウェイデバイスの動作状態を示すために用いられることを特徴とする請求項１の標準軌道のスマートホームシステム。
【請求項９】
上記の標準軌道のスマートホームシステムにおいて、上記の第１の拡充装置は第２の表示灯を含み、上記の第２の表示灯は上記の第１の拡充装置と上記のゲートウェイデバイスとの間の接続状態を示すために用いられることを特徴とする請求項１の標準軌道のスマートホームシステム。
【発明の詳細な説明】
【技術分野】
【０００１】
本発明はスマートホームシステム分野に関し、特に、標準軌道のスマートホームシステムに関するものである。
【背景技術】
【０００２】
スマートホームは人間工学に基づいて、先端なＩＴ技術、ネットワーク通信技術、総合配線技術、医療電子技術を利用して、住む人のニーズに合わせて、照明コントロール、ガスバルブコントロール、デジタル家電、自動化サービスＩＦＴＴＴ（ＩＦ  Ｔｈｉｓ  Ｔｈｅｎ  Ｔｈａｔ）、床暖房、健康管理、衛生管理、セキュリティーなどの家居生活に関わる様々なサブシステムを有機的に組み合わせて、ネットワークを通じて集合的、知能的に管理や制御することにより、「人間本位」という新たな家庭生活体験を実現するものである。
【０００３】
スマートホームシステムには、システム全体で使われているモジュールが多いほど、設定が分散的になり、複雑度と、価格と、将来の故障の可能性と、対応するメンテナンスコストとも全て高くなるという顕著な特徴がある。例えば、ネットワークを通じてリモート調整やメンテナンスを行うなどユーザーが住宅を知能化するシステムを制御できるだけでなく、エンジニアもリモートでシステムの作業情況を検査して、システムに発生した故障を診断できるシステムがある。このようなシステムは、一般的に言えば、設置、調整、メンテナンスの作業量が非常に多く、大量な人力と物力の投入が必要である。また、ユーザーのニーズに応じてシステムをどのようにして拡充や統合をすることもスマートホームシステムへのホットスポットである。
【発明の概要】
【発明が解決しようとする課題】
【０００４】
既存技術に存在している上記の問題に対して、本発明はスマートホームシステムの標準軌道を提供する。
【課題を解決するための手段】
【０００５】
標準軌道のスマートホームシステムはゲートウェイデバイスと標準軌道とを含み、
上記のゲートウェイデバイスの電源端子はそれぞれＬ端子（Ｌｉｖｅ）とＮ端子（Ｎｅｕｔｒａｌ）に接続され、上記のゲートウェイデバイスは少なくとも１つのユーザー端末に遠隔接続され、また複数の第１の拡充装置にも接続され、
上記のゲートウェイデバイスと複数の第１の拡充装置は上記の標準軌道の上に並列に配置され、複数の配線端子を介して相互に接続され、
上記の各第１の拡充装置のコンセントはそれぞれ一つか複数のスマートホームデバイスに接続される。
【０００６】
好ましくは、さらに漏電遮断器を含み、上記の漏電遮断器は上記の標準軌道の上に配置され、上記の漏電遮断器に電源端子とコンセントとスイッチとは配置されており、
上記の電源端子はそれぞれＬ端子（Ｌｉｖｅ）とＮ端子（Ｎｅｕｔｒａｌ）に接続され、上記の電源端子に接続されている上記のＬ端子（Ｌｉｖｅ）とＮ端子（Ｎｅｕｔｒａｌ）は上記のコンセントを介してそれぞれ上記のゲートウェイデバイスの電源端子に接続され、上記のスイッチは漏電から保護するために上記のＬ端子とＮ端子のオン／オフの切り替えを同時に制御する。
【０００７】
好ましくは、さらに給電装置を含み、上記の給電装置は上記の標準軌道の上に配置され、上記の給電装置は複数の第２の拡充装置に接続され、全ての上記の第２の拡充装置に電力を供給するために用いられる。
【０００８】
好ましくは、さらに接続器を含み、上記の接続器が上記の標準軌道の上に配置され、上記の接続器は複数列の上記の第１の拡充装置を接続するために用いられる。
【０００９】
好ましくは、上記のゲートウェイデバイスはネットワークインターフェイスと無線通信モジュールとを含み、
上記のゲートウェイデバイスは上記のネットワークインターフェイスを介して有線ネットワーキング方式でユーザー端末に接続され、或いは、
上記のゲートウェイデバイスは上記の無線通信モジュールを通じて無線ネットワーキング方式で上記のユーザー端末に接続される。
【００１０】
好ましくは、上記の第１の拡充装置は単相のスマートエアスイッチまたは三相のスマートエアスイッチである。
【００１１】
好ましくは、上記の第２の拡充装置は環境センサー、クラウドコントローラ、無線受信機または遠隔制御装置である。
【００１２】
好ましくは、上記のゲートウェイデバイスは第１の表示灯を含み、上記の第１の表示灯は上記のゲートウェイデバイスの動作状態を示すために用いられる。
【００１３】
好ましくは、上記の第１の拡充装置は第２の表示灯を含み、上記の第２の表示灯は上記の第１の拡充装置と上記のゲートウェイデバイスとの間の接続状態を示すために用いられる。
【発明の効果】
【００１４】
本発明による技術方案の有益効果は、標準軌道のスマートホームシステムを公開し、電力供給回路に応じて、ユーザーは自分のニーズに合わせた拡充装置を添加することができ、分散されたスマートホーム制御モジュールは標準軌道の上に系統的に統合され、ユーザーが操作や管理に便利で、インテリジェントでスマートホーム装置を制御することを実現する。
【図面の簡単な説明】
【００１５】
以下の添付図を参照して、具体的に本発明の実施形態を説明するが、添付されてる図面はただ本発明の説明と解釈のみに使用され、本発明の範囲を制限するものではない。
【００１６】
【図１】図１は本発明の実施例における単相標準軌道のスマートホームシステムについての全体構造図である。
【００１７】
【図２】図２は本発明の実施例における三相標準軌道のスマートホームシステムについての全体構造図である。
【発明を実施するための形態】
【００１８】
以下、本発明の実施形態における図面と結合して、本発明の実施形態における技術的な態様を明確に、完全に説明するが、明らかに説明した実施形態は、全ての実施形態ではなく、本発明の一部の実施形態にすぎない。本発明の実施例に基づいて、当業者は、創造的労働を行わない前提で取得される他のすべての実施形態は、本発明の保護の範囲に属すべきである。
【００１９】
注意すべきなのは、本発明の実施形態および実施形態の特徴は、衝突しない場合には互いに組み合わせられ得る。
【００２０】
以下、添付図面と具体的な実施形態を結合して、本発明をさらに説明するが、本発明の限定とするものではない。
【００２１】
本発明は標準軌道のスマートホームシステムを提供し、その標準軌道のスマートホームシステムはゲートウェイデバイス１と標準軌道Ｔとを含み、
上記のゲートウェイデバイス１の電源端子はそれぞれＬ端子（Ｌｉｖｅ）とＮ端子（Ｎｅｕｔｒａｌ）に接続され、上記のゲートウェイデバイス１は少なくとも１つのユーザー端末に遠隔接続され、また複数の第１の拡充装置１０にも接続され、
上記のゲートウェイデバイス１と複数の第１の拡充装置１０は上記の標準軌道Ｔの上に並列に配置され、複数の配線端子（図に示されてない）を介して相互に接続され、
上記の各第１の拡充装置１０のコンセントはそれぞれ一つか複数のスマートホームデバイスに接続される。
【００２２】
上記の標準軌道のスマートホームシステムの技術方案により、図１に示すように、ゲートウェイデバイス１と複数の第１の拡充装置１０は標準軌道Ｔに並列に配置され、複数の配線端子（図に示されてない）を介して相互に接続されている。ゲートウェイデバイス１と複数の第１の拡充装置１０とを電気的に接続するため、配線端子（図に示されてない）は８ピンコネクタであり、複数の第１の拡充装置１０は電気的に接続されている。ゲートウェイデバイス１は、複数の第１の拡充装置１０に接続され、各第１の拡充装置１０は、ユーザ端末またはローカル操作によって個別の接続に対応するスマートホームデバイスを制御する。スマートホームデバイスは、例えば、照明デバイス、床暖房、エアコン、空気浄化装置、カーテンなどを含む。
【００２３】
さらに、電力供給回路に応じて、ユーザーは自分のニーズに合わせた第１の拡充装置１０を選択して接続することができ、分散されたスマートホーム制御モジュールは標準軌道の上に系統的に統合され、ユーザーが操作や管理に便利で、インテリジェントでスマートホーム装置を制御することを実現する。
【００２４】
説明すべきなのは、本発明における拡充装置は第１の拡充装置１０が単相または三相スマートエアスイッチに限らず、第１の拡充装置１０をユーザのニーズに応じて置き換えてもよく、標準軌道スマートホームシステムにより標準軌道Ｔに系統的に統合することができ、ここでは説明を省略する。
【００２５】
一つの好ましい実施例において、漏電遮断器２を含み、漏電遮断器２は標準軌道Ｔの上に配置され、漏電遮断器２に電源端子２０とコンセント２１とスイッチ２２とは配置されており、
電源端子２０はそれぞれＬ端子（Ｌｉｖｅ）とＮ端子（Ｎｅｕｔｒａｌ）に接続され、電源端子２０に接続されているＬ端子（Ｌｉｖｅ）とＮ端子（Ｎｅｕｔｒａｌ）はコンセント２１を介してそれぞれゲートウェイデバイス１の電源端子に接続され、スイッチ２２は漏電から保護するためにＬ端子とＮ端子のオン／オフの切り替えを同時に制御する。
【００２６】
具体的には、漏電遮断器２は標準軌道Ｔの上に配置され、漏電遮断器２は単相または三相標準軌道のスマートホームシステムの漏電から保護する機能があるエアスイッチである。
【００２７】
一つの好ましい実施例において、図１に示すように、給電装置３を含み、給電装置３は標準軌道Ｔの上に配置され、給電装置３は複数の第２の拡充装置３０に接続され、全ての第２の拡充装置３０に電力を供給する。給電装置３は、環境センサまたは無線受信機または遠隔制御装置など複数の第２の拡充装置３０を含む外部の様々な機能タイプの拡張装置と接続するために使用される。
【００２８】
一つの好ましい実施例において、図１に示すように、接続器４を含み、接続器４が標準軌道Ｔの上に配置され、接続器４は複数列の第１の拡充装置１０を接続するために使用されている。ユーザーのニーズに応じて、標準軌道Ｔの上に接続器４が配置され、接続器４を介して複数列の第１の拡充装置１０は電気的に接続することができる。
【００２９】
一つの好ましい実施例において、ゲートウェイデバイス１はネットワークインターフェイスＬＡＮと無線通信モジュール（図に示されてない）とを含み、
ゲートウェイデバイス１はネットワークインターフェイスＬＡＮを介して有線ネットワーキング方式でユーザー端末に接続されており、または
ゲートウェイデバイス１は無線通信モジュール（図に示されてない）を通じて無線ネットワーキング方式でユーザー端末に接続されている。無線通信モジュール（図には示されていない）は、ゲートウェイデバイス１内のＷｉＦｉの通信機能などの無線通信機能を利用して通信を行う。
【００３０】
説明すべきなのは、ここでのユーザー端末は移動式か非移動式かに限らず、クラウドコントローラを正常に追加できればよい、ここでは説明を省略する。
【００３１】
一つの好ましい実施例において、第１の拡充装置１０は単相のスマートエアスイッチまたは三相のスマートエアスイッチである。この第１の拡充装置１０は単相のスマートエアスイッチまたは三相のスマートエアスイッチに限らない。まず、ユーザは、電力供給回路と自分のニーズに応じて、第１の拡充装置１０を選択し、ゲートウェイデバイス１と漏電遮断器２をともに標準軌道Ｔに配置、接続し、ゲートウェイデバイス１のユーザー端末または第１の拡充装置１０のローカル制御により、対応的に接続されているスマートホームデバイスを制御できる。このような標準軌道スマートホームシステムによって、分散されたスマートホームデバイスは系統的に標準軌道の上に統合され、ユーザーの操作と管理に便利である。
【００３２】
一つの好ましい実施例において、第２の拡充装置３０は環境センサーまたはクラウドコントローラまたは無線受信機または遠隔制御装置である。
【００３３】
説明すべきなのは、第２の拡充装置３０は環境センサーまたはクラウドコントローラまたは無線受信器に限らず、ユーザーのニーズに応じて第２の拡充装置３０を切り替えてもよく、標準軌道のスマートホームシステムによって、系統的に標準軌道Ｔの上に統合されうるが、ここでは説明を省略する。
【００３４】
一つの好ましい実施例において、ゲートウェイデバイス１は第１の表示灯１１を含み、第１の表示灯１１はゲートウェイデバイス１の動作状態を示すために用いられる。
【００３５】
具体的には、第１の表示灯１１は、ゲートウェイデバイス１の動作状態を示すために使用される。
第１の表示灯１１が緑色点滅の場合、ゲートウェイデバイス１が電源に入っている状態を示す。
第１の表示灯１１が緑色消灯の場合、ゲートウェイデバイス１が電源に入ってない状態を示す。
第１の表示灯１１が緑色でゆっくり点滅の場合、ゲートウェイデバイス１が有線でインターネットに繋がることに成功したことを示す。
第１の表示灯１１が緑色の早い点滅の場合、ゲートウェイデバイス１が有線でインターネットにつながることに失敗したか、接続中であることを示す。
第１の表示灯１１は、赤色で点灯且つ緑色で点滅している場合、ゲートウェイデバイス１が無線でインターネットに接続中を示す。
第１の表示灯１１が赤色で点灯且つ緑色でゆっくり点滅している場合、ゲートウェイデバイス１が無線でインターネットにつながることに成功したことを示す。
第１の表示灯１１は、赤色で点灯且つ緑色で早く点滅している場合、ゲートウェイデバイス１が無線でインターネットにつながることに失敗したか、接続中であることを示す。
【００３６】
一つの好ましい実施例において、第１の拡充装置１０は第２の表示灯１００を含み、第２の表示灯１００は第１の拡充装置１０とゲートウェイデバイスとの間の接続状態の提示に用いられる。
【００３７】
具体的には、第２の表示灯１００は、ゲートウェイデバイス１と第１の拡充装置１０との間の接続状態を示す。
ゲートウェイデバイス１に電源を投入した後、第２の表示灯１００が赤色点滅の場合、第１の拡充装置１０の電源投入に成功したことを示す。
ゲートウェイデバイス１に電源を投入した後、第２の表示灯１００が赤色消灯の場合、第１の拡充装置１０の電源投入に失敗したことを示す。
第２の表示灯１００が赤色で早い点滅から消灯状態になった場合、第１の拡充装置１０がゲートウェイデバイス１に繋がることに成功したことを示す。
第２の表示灯１００が赤色で早い点滅の場合、第１の拡充装置１０がゲートウェイデバイス１に繋がることに失敗か、接続中であることを示す。
第２の表示灯１００が緑色点灯の場合、第１の拡充装置１０がオンしている状態を示す。
第２の表示灯１００が緑色消灯の場合、第１の拡充装置１０がオフしている状態を示す。
なお、第１の拡充装置１０のロック状態とロックされていない状態との第２の表示灯１００の表示色は反対色で、第１の拡充装置１０の上部のキーを長押しすると、ロック状態に切り替えられ、ロック状態になると、標準軌道スマートホームシステムはローカルでしか作業しない。
【００３８】
一つの好ましい実施例において、図１に示すように、単相標準軌道のスマートホームシステムにおいて、漏電遮断器２と、給電ユニット３と、複数の第１の拡充装置１０が標準軌道Ｔの上に並べて配置され、複数の第１の拡充装置１０は複数の配線端子（図に示されてない）を介して相互に接続される。複数の第１の拡充装置を電気的に接続することを実現するための配線端子（図に示されてない）は８ピンコネクタである。給電ユニット３は外部の様々な機能タイプの拡充装置（例えば第２の拡充装置３０）を接続するためのものである。
【００３９】
さらに、他の標準軌道Ｔに複数の第１の拡充装置１０とゲートウェイデバイス１を並列に接続し、複数の配線端子（図に示されてない）を介して複数の第１の拡充装置１０とゲートウェイデバイス１を相互に接続し、ゲートウェイデバイス１と複数の第１の拡充装置１０とを電気的接続することを実現するため、配線端子（図に示されてない）は８ピンコネクタである。２つの列の間にある複数の第１の拡充装置１０を電気的に接続するため、２つの列の間にある第１の拡充装置１０を接続器４を介して接続する。以上のことにより、分散された知能制御モジュールは標準軌道Ｔの上に統合され、ユーザの操作と管理に便利である。
【００４０】
一つの好ましい実施形態において、図２に示すように、三相標準軌道のスマートホームシステムであり、ゲートウェイデバイス１と、漏電遮断器２と、複数の第１の拡充装置群を標準軌道Ｔの上で並べて接続している。各第１の拡充装置群は、３つの第１の拡充装置１０を含み、各第１の拡充装置１０の電源端子を電源に入るため、それぞれ１本のＬ端子に接続している。各第１の拡充装置１０のコンセントは１つ以上のスマートホームデバイスに接続されている。各第１の拡充装置１０は、ユーザ端末またはローカルによって、個別に対応して接続されたスマートホームデバイスを制御でき、且つ、３つの単相第１の拡充装置１０ごとに、１つの三相第１の拡充装置群を構成でき、それに、ユーザは、接続器４を介してユーザが必要とする三相拡充装置に接続することができる。
【００４１】
以上は本発明のより良い実施形態だけであって、本発明の実施形態および保護範囲を限定するものではなく、当業者にとっては、本発明の説明書および図示の内容によってなされた均等な置換および明らかな変化によって得られた方案は、いずれも本発明の保護範囲内に含まれるべきであることが認識されるべきである。
【図１】
2021507603.tif 000003
【図２】
2021507603.tif 000004
【国際調査報告】
2021507603.tif 000005
2021507603.tif 000006
2021507603.tif 000007
2021507603.tif 000008
2021507603.tif 000009